(57)【要約】  【課題】  ハンドルの振動を低減した歩行型作業機を提供する。  【解決手段】  伝動ケース１２の上部に配置される駆動源と、伝動ケース１２の下部に配置される出力軸１３と、使用者が操作するハンドルを支持するハンドルポスト５１と、を備える歩行型作業機において、ハンドルポスト５１の下部は、伝動ケース１２の下部に固定されており、ハンドルポスト５１の中間部は、伝動ケース１２の上部に遊嵌状態で連結されている。【選択図】  図５
2015015934.tif 000002
【特許請求の範囲】
【請求項１】
伝動ケースの上部に配置される駆動源と、前記伝動ケースの下部に配置される出力軸と、使用者が操作するハンドルを支持するハンドルポストと、を備える歩行型作業機において、
前記ハンドルポストの下部は、前記伝動ケースの下部に固定されており、
前記ハンドルポストの中間部は、前記伝動ケースの上部に遊嵌状態で連結されていることを特徴とする歩行型作業機。
【請求項２】
前記ハンドルポストの中間部は、ブラケットを介して前記伝動ケースの上部に連結されていることを特徴とする請求項１に記載の歩行型作業機。
【発明の詳細な説明】
【技術分野】
【０００１】
本発明は、歩行型作業機のハンドル防振構造に関するものである。
【背景技術】
【０００２】
従来の歩行型作業機は、特許文献１に示されるように、エンジン等の駆動源と、駆動源の下部に配置され駆動伝達部等を収容する伝動ケースと、伝動ケースの下部に配置され耕耘爪等を取り付ける出力軸と、後方上部に配置されるハンドルと、伝動ケースに取り付けられハンドルを支持するハンドルポストとを備えている。
【０００３】
上述の歩行型作業機においては、ハンドルポストは、その下端部を伝動ケースの下部に固定し、その中間部を、伝動ケースの上部から後方に延設されるブラケットとしての車輪取付枠体に固定している。
【先行技術文献】
【特許文献】
【０００４】
【特許文献１】特開２００２−２７２２０２号公報
【発明の概要】
【発明が解決しようとする課題】
【０００５】
ところが、上述の構成の場合、駆動源や駆動伝達部等の振動が伝動ケースからハンドルポストに伝わり、さらにハンドルに伝わることで、ハンドルを把持操作する使用者に不快感を与えていた。
【０００６】
本発明は、上述した課題の存在に鑑みてなされたものであって、その目的は、ハンドルの振動を低減した歩行型作業機を提供することである。
【課題を解決するための手段】
【０００７】
本発明に係る歩行型作業機は、伝動ケースの上部に配置される駆動源と、前記伝動ケースの下部に配置される出力軸と、使用者が操作するハンドルを支持するハンドルポストと、を備える歩行型作業機において、前記ハンドルポストの下部は、前記伝動ケースの下部に固定されており、前記ハンドルポストの中間部は、前記伝動ケースの上部に遊嵌状態で連結されていることを特徴とする。
【０００８】
本発明に係る歩行型作業機においては、前記ハンドルポストの中間部は、ブラケットを介して前記伝動ケースの上部に連結することができる。
【発明の効果】
【０００９】
本発明によれば、ハンドルの振動を低減した歩行型作業機を提供することができる。
【図面の簡単な説明】
【００１０】
【図１】本実施形態に係る歩行型作業機の左側面図である。
【図２】本実施形態に係る歩行型作業機の正面図である。
【図３】図１における矢視Ａを示す図であり、ハンドル部を示している。
【図４】図１における断面Ｂ−Ｂの要部拡大図である。
【図５】図１における断面Ｃ−Ｃの要部拡大図である。
【図６】段付きボルトを説明する図である。
【発明を実施するための形態】
【００１１】
以下、本発明を実施するための好適な実施形態について、図を用いて説明する。なお、以下の実施形態では、本発明を歩行型作業機である小型耕耘機に適用する場合を例示して説明する。また、以下の実施形態は、各請求項に係る発明を限定するものではなく、また、実施形態の中で説明されている特徴の組み合わせの全てが発明の解決手段に必須であるとは限らない。
【００１２】
また、本明細書においては、使用者の作業形態に応じて、「前、後、左、右、上、下」を図に示すように規定して説明する。
【００１３】
図１〜３に示されるように、本実施形態に係る歩行型作業機１は、駆動源であるエンジン１１を備える駆動部１０と、駆動部１０の下部に配置される伝動ケース１２と、伝動ケース１２の下部に配置される出力軸１３と、を備えている。エンジン１１の回転駆動力は、伝動ケース１２の内部に収容される不図示の歯車等からなる駆動伝達部により減速されて出力軸１３に伝えられる。出力軸１３には複数の耕耘爪１４が固定されている。なお、出力軸１３には耕耘爪以外にも種々のアタッチメントを固定することが可能である。
【００１４】
歩行型作業機１の後側上部には、使用者が把持して操作するハンドル部３０が配置されている。ハンドル部３０は、後述するハンドルポスト５１の上端部に設置される支持部４０に支持されており、支持部４０から略Ｖ字状に延びるハンドルパイプ３１と、左右のハンドルパイプ３１の端部に配置されるグリップ３２，３２と、を備えている。右側のグリップ３２の近傍には、エンジン１１の出力を調整するスロットルレバー３３が配置されている。なお、図２においてはスロットルレバー３３の図示を省略している。また、本実施形態の歩行型作業機１においては、支持部４０のノブボルト４１を操作することで、支持部４０を中心とするハンドル部３０の前後方向位置を調整できる構成となっている。
【００１５】
次に、図４〜６を参照図に加えてハンドルポスト５１について説明する。
【００１６】
支持部４０を介してハンドル部３０を支持するハンドルポスト５１は、伝動ケース１２の下部後方から斜め後上方に延びる状態で配置されている。ハンドルポスト５１は、金属製のパイプからなり、その上部は円形断面であり、その下部は左右両側面に平面を持つ小判型断面に成形されている。ハンドルポスト５１の下端部は、伝動ケース１２の下部後方にボルト５２とナット５３により固定されている。また、小判型断面を持つハンドルポスト５１の中間部は、前部を伝動ケース１２の上部後方にボルト１５とナット１６により固定され、後方に延びる左右一対のブラケット１７，１７に連結されている。なお、ブラケット１７，１７は、金属製の板部材により形成されている。
【００１７】
ハンドルポスト５１の中間部と左右一対のブラケット１７，１７は、２本の段付きボルト５４，５４と２つのナット５５，５５により連結されている。なお、ハンドルポスト５１の中間部における小判型断面の左右両側面には、抵抗棒６１と左右一対の車輪６２，６２を支持するための抵抗棒ブラケット６３が溶接により固定されている。左右一対のブラケット１７，１７の後部は、抵抗棒ブラケット６３を介在させた状態でハンドルポスト５１の中間部を左右方向から覆うように配置されている。ハンドルポスト５１と抵抗棒ブラケット６３には左右方向の軸線を持つ２つの嵌合孔５６，５６が連通形成されている。また、ブラケット１７，１７には、左右方向の軸線を持つ２つの遊嵌孔１８，１８が形成されている。なお、遊嵌孔１８，１８の直径は、嵌合孔５６，５６の直径より大きく設定されている。
【００１８】
嵌合孔５６，５６と遊嵌孔１８，１８に挿嵌される段付きボルト５４，５４は、六角形状部を有する頭部５４ａと、嵌合孔５６，５６と嵌合状態になると共に、遊嵌孔１８とは遊嵌状態になるように外径が設定された軸部５４ｂと、軸部５４ｂの反頭部５４ａ側に形成され、軸部５４ｂより所定量小さい外径を持つネジ部５４ｃと、を備えている。また、軸部５４ｂの長さは、ハンドルポスト５１の中間部における小判型断面の左右両側面に固定された抵抗棒ブラケット６３の左右両外面間の距離と、ブラケット１７，１７の板厚との合計より大きく設定されている。よって、段付きボルト５４，５４を嵌合孔５６，５６及び遊嵌孔１８，１８に挿通してネジ部５４ｃにナット５５，５５を螺入し締め切った状態では、左右一対のブラケット１７，１７に対してハンドルポスト５１は遊嵌状態となり、僅かなガタツキを有する状態となる。
【００１９】
上述の構成の歩行型作業機１を使用して耕耘作業を行う場合、使用者は、ハンドル部３０のグリップ３２，３２を把持し、その右手でスロットルレバー３３を操作してエンジン１１の出力を調整した上、回転する複数の耕耘爪１４により耕耘しながら進行して、所望の範囲の耕耘を行う。耕耘作業においては、駆動源であるエンジン１１および伝動ケース１２の内部に収容される駆動伝達部における歯車等から発生する振動と、耕耘爪１４による耕耘時に発生する振動が、ハンドルポスト５１を介してハンドル部３０に伝達されることとなる。これらの振動は、ハンドルポスト５１の下端部と中間部の各連結箇所からハンドルポスト５１に伝達されることになるが、従来の構成では、これら２箇所での連結状態は固定状態であったため、振動が減衰されることなく伝達され、その結果、振動波同士がハンドルポスト５１において干渉し合い、より大きな振動となってハンドルポスト５１を加振していた。これにより、ハンドルポスト５１に支持されるハンドル部３０も大きく振動して使用者に不快感を与えていた。一方、本発明の歩行型作業機１においては、２箇所の連結箇所の内、一方であるハンドルポスト５１の中間部おいて連結状態を遊嵌状態としたことで、この中間部からハンドルポスト５１に伝達される振動が低減され、よって、振動波同士の干渉による振動の増幅作用を低減できるため、ハンドル部３０における大きな振動が抑制され、使用者の不快感を低減することができる。
【００２０】
なお、ハンドルポスト５１の下端部と伝動ケース１２の下部後方との連結状態を遊嵌状態とし、ハンドルポスト５１の中間部と伝動ケース１２の上部後方に固定される左右一対のブラケット１７，１７との連結状態を固定状態とすることでも同様の効果があるが、ハンドル部３０により近い中間部において遊嵌状態となる構成を採用することで、ハンドル部３０における振動低減により効果がある。
【００２１】
また、本実施形態の歩行型作業機１においては、ハンドルポスト５１は、ブラケット１７，１７を介して伝動ケース１２と連結する構成とした。これにより、アルミ鋳造等の型成形によって製造される伝動ケース１２の小型化が実現でき、より廉価に振動を低減した歩行型作業機を提供することができる。
【００２２】
以上、本発明の好適な実施形態について説明したが、本発明の技術的範囲は上記実施形態に記載の範囲に限定さない。上記実施形態には、多様な変更又は改良を加えることが可能である。
【００２３】
たとえば、上述の実施形態においては、駆動源としてエンジンを採用した歩行型作業機について説明したが、電動モータを駆動源とする歩行型作業機に本発明を実施することも可能である。
【００２４】
その様な変更又は改良を加えた形態も本発明の技術的範囲に含まれることが、特許請求の範囲の記載から明らかである。
【符号の説明】
【００２５】
１  歩行型作業機、１０  駆動部、１１  エンジン、１２  伝動ケース、１３  出力軸、１４  耕耘爪、１５  ボルト、１６  ナット、１７  ブラケット、１８  遊嵌孔、３０  ハンドル部、３１  ハンドルパイプ、３２  グリップ、３３  スロットルレバー、４０  支持部、４１  ノブボルト、５１  ハンドルポスト、５２  ボルト、５３  ナット、５４  段付きボルト、５４ａ  頭部、５４ｂ  軸部、５４ｃ  ネジ部、５５  ナット、５６  嵌合孔、６１  抵抗棒、６２  車輪、６３  抵抗棒ブラケット
【図１】
2015015934.tif 000003
【図２】
2015015934.tif 000004
【図３】
2015015934.tif 000005
【図４】
2015015934.tif 000006
【図５】
2015015934.tif 000007
【図６】
2015015934.tif 000008